【手続補正書】
【提出日】平成19年12月12日(2007.12.12)
【手続補正１】
【補正対象書類名】特許請求の範囲
【補正対象項目名】全文
【補正方法】変更
【補正の内容】
【特許請求の範囲】
【請求項１】
１，１，１，３，３−ペンタフルオロブタンおよび１，１，３−トリフルオロプロパン、
１，１，１，３，３−ペンタフルオロブタンおよび１，３−ジフルオロプロパン、
１，１，１，３，３−ペンタフルオロブタンおよび１，１−ジフルオロブタン、
１，１，１，３，３−ペンタフルオロブタンおよび１，３−ジフルオロ−２−メチルプロパン、
１，１，１，３，３−ペンタフルオロブタンおよび１，２−ジフルオロ−２−メチルプロパン、
１，１，１，３，３−ペンタフルオロブタンおよび１，２−ジフルオロブタン、
１，１，１，３，３−ペンタフルオロブタンおよび１，３−ジフルオロブタン、
１，１，１，３，３−ペンタフルオロブタンおよび２，３−ジフルオロブタン、
１，１，１，３，３−ペンタフルオロブタンおよび１，１，１−トリフルオロペンタン、
１，１，１，３，３−ペンタフルオロブタンおよび１，１，１−トリフルオロ−３−メチルブタン、
１，１，１，３，３−ペンタフルオロブタンおよび１，２−ジフルオロペンタン、
１，１，１，３，３−ペンタフルオロブタンおよび３，３，４，４，５，５，６，６，６−ノナフルオロ−１−ヘキセン、
１，１，１，３，３−ペンタフルオロブタンおよびＮ−（ジフルオロメチル）−Ｎ，Ｎ−ジメチルアミン、ならびに
１，１，１，３，３−ペンタフルオロブタンおよび１，１，１，２，２−ペンタフルオロ−２−［（ペンタフルオロエチル）チオ］エタン
よりなる群から選択されることを特徴とする冷媒または伝熱流体組成物。
【請求項２】
（ｉ）遠心圧縮機、（ｉｉ）多段遠心圧縮機、または（ｉｉｉ）シングル・スラブ式／シングル・パス式（ｓｉｎｇｌｅ  ｓｌａｂ／ｓｉｎｇｌｅ  ｐａｓｓ）熱交換器を用いる、冷凍またはエアコン機器での使用に好適な冷媒または伝熱流体組成物であって、
１，１，１，３，３−ペンタフルオロブタンおよび１，１，３−トリフルオロプロパン、
１，１，１，３，３−ペンタフルオロブタンおよび１，３−ジフルオロプロパン、
１，１，１，３，３−ペンタフルオロブタンおよび１，１−ジフルオロブタン、
１，１，１，３，３−ペンタフルオロブタンおよび１，３−ジフルオロ−２−メチルプロパン、
１，１，１，３，３−ペンタフルオロブタンおよび１，２−ジフルオロ−２−メチルプロパン、
１，１，１，３，３−ペンタフルオロブタンおよび１，２−ジフルオロブタン、
１，１，１，３，３−ペンタフルオロブタンおよび１，３−ジフルオロブタン、
１，１，１，３，３−ペンタフルオロブタンおよび２，３−ジフルオロブタン、
１，１，１，３，３−ペンタフルオロブタンおよび１，１，１−トリフルオロペンタン、
１，１，１，３，３−ペンタフルオロブタンおよび１，１，１−トリフルオロ−３−メチルブタン、
１，１，１，３，３−ペンタフルオロブタンおよび１，２−ジフルオロペンタン、
１，１，１，３，３−ペンタフルオロブタンおよび３，３，４，４，５，５，６，６，６−ノナフルオロ−１−ヘキセン、
１，１，１，３，３−ペンタフルオロブタンおよびＮ−（ジフルオロメチル）−Ｎ，Ｎ−ジメチルアミン、ならびに
１，１，１，３，３−ペンタフルオロブタンおよび１，１，１，２，２−ペンタフルオロ−２−［（ペンタフルオロエチル）チオ］エタン
よりなる群から選択されることを特徴とする組成物。
【請求項３】
約１〜約９９重量パーセントの１，１，１，３，３−ペンタフルオロブタンおよび約９９〜約１重量パーセントの１，１，３−トリフルオロプロパン、
約１〜約９９重量パーセントの１，１，１，３，３−ペンタフルオロブタンおよび約９９〜約１重量パーセントの１，３−ジフルオロプロパン、
約１〜約９９重量パーセントの１，１，１，３，３−ペンタフルオロブタンおよび約９９〜約１重量パーセントの１，１−ジフルオロブタン、
約６４〜約９９重量パーセントの１，１，１，３，３−ペンタフルオロブタンおよび約３６〜約１重量パーセントの１，３−ジフルオロ−２−メチルプロパン、
約１〜約９９重量パーセントの１，１，１，３，３−ペンタフルオロブタンおよび約９９〜約１重量パーセントの１，２−ジフルオロ−２−メチルプロパン、
約３７〜約９９重量パーセントの１，１，１，３，３−ペンタフルオロブタンおよび約６３〜約１重量パーセントの１，２−ジフルオロブタン、
約６０〜約９９重量パーセントの１，１，１，３，３−ペンタフルオロブタンおよび約４０〜約１重量パーセントの１，３−ジフルオロブタン、
約１〜約９９重量パーセントの１，１，１，３，３−ペンタフルオロブタンおよび約９９〜約１重量パーセントの２，３−ジフルオロブタン、
約１〜約９９重量パーセントの１，１，１，３，３−ペンタフルオロブタンおよび約９９〜約１重量パーセントの１，１，１−トリフルオロペンタン、
約１〜約９９重量パーセントの１，１，１，３，３−ペンタフルオロブタンおよび約９９〜約１重量パーセントの１，１，１−トリフルオロ−３−メチルブタン、
約１〜約９９重量パーセントの１，１，１，３，３−ペンタフルオロブタンおよび約９９〜約１重量パーセントの３，３，４，４，５，５，６，６，６−ノナフルオロ−１−ヘキセン、
約７２〜約９９重量パーセントの１，１，１，３，３−ペンタフルオロブタンおよび約２８〜約１重量パーセントの１，２−ジフルオロペンタン、ならびに
約１〜約９９重量パーセントの１，１，１，３，３−ペンタフルオロブタンおよび約９９〜約１重量パーセントの１，１，１，２，２−ペンタフルオロ−２−［（ペンタフルオロエチル）チオ］エタン
よりなる群から選択されることを特徴とする共沸または擬共沸組成物。
【請求項４】
約３８．５℃の温度で約１４．７ｐｓｉａ（１０１ｋＰａ）の蒸気圧を有する、９０．３重量パーセントの１，１，１，３，３−ペンタフルオロブタンおよび９．７重量パーセントの１，１，３−トリフルオロプロパン、
約３２．０℃の温度で約１４．７ｐｓｉａ（１０１ｋＰａ）の蒸気圧を有する、７３．０重量パーセントの１，１，１，３，３−ペンタフルオロブタンおよび２７．０重量パーセントの１，３−ジフルオロプロパン、
約３８．２℃の温度で約１４．７ｐｓｉａ（１０１ｋＰａ）の蒸気圧を有する、５７．７重量パーセントの１，１，１，３，３−ペンタフルオロブタンおよび４２．３重量パーセントの１，１−ジフルオロブタン、
約３８．３℃の温度で約１４．７ｐｓｉａ（１０１ｋＰａ）の蒸気圧を有する、８９．８重量パーセントの１，１，１，３，３−ペンタフルオロブタンおよび１０．２重量パーセントの１，３−ジフルオロ−２−メチルプロパン、
約３３．４℃の温度で約１４．７ｐｓｉａ（１０１ｋＰａ）の蒸気圧を有する、４７．８重量パーセントの１，１，１，３，３−ペンタフルオロブタンおよび５２．２重量パーセントの１，２−ジフルオロ−２−メチルプロパン、
約３６．５℃の温度で約１４．７ｐｓｉａ（１０１ｋＰａ）の蒸気圧を有する、８１．１重量パーセントの１，１，１，３，３−ペンタフルオロブタンおよび１８．９重量パーセントの１，２−ジフルオロブタン、
約３８．６℃の温度で約１４．７ｐｓｉａ（１０１ｋＰａ）の蒸気圧を有する、８９．６重量パーセントの１，１，１，３，３−ペンタフルオロブタンおよび１０．４重量パーセントの１，３−ジフルオロブタン、
約３６．３℃の温度で約１４．７ｐｓｉａ（１０１ｋＰａ）の蒸気圧を有する、７８．２重量パーセントの１，１，１，３，３−ペンタフルオロブタンおよび２１．８重量パーセントの２，３−ジフルオロブタン、
約３８．３℃の温度で約１４．７ｐｓｉａ（１０１ｋＰａ）の蒸気圧を有する、４３．４重量パーセントの１，１，１，３，３−ペンタフルオロブタンおよび５６．６重量パーセントの１，１，１−トリフルオロペンタン、
約３７．６℃の温度で約１４．７ｐｓｉａ（１０１ｋＰａ）の蒸気圧を有する、３１．８重量パーセントの１，１，１，３，３−ペンタフルオロブタンおよび６８．２重量パーセントの１，１，１−トリフルオロ−３−メチルブタン、
約３９．９℃の温度で約１４．７ｐｓｉａ（１０１ｋＰａ）の蒸気圧を有する、９８．０重量パーセントの１，１，１，３，３−ペンタフルオロブタンおよび２．０重量パーセントの１，２−ジフルオロペンタン、ならびに
約３５．１℃の温度で約１４．７ｐｓｉａ（１０１ｋＰａ）の蒸気圧を有する、２９．５重量パーセントの１，１，１，３，３−ペンタフルオロブタンおよび７０．５重量パーセントの１，１，１，２，２−ペンタフルオロ−２−［（ペンタフルオロエチル）チオ］エタン
よりなる群から選択されることを特徴とする共沸組成物。
【請求項５】
多段遠心圧縮機を用いる冷凍またはエアコン機器において、熱または冷却をもたらすことを含むことを特徴とする請求項２または３に記載の組成物の使用方法。
【請求項６】
冷却される物体の近傍で請求項１〜４のいずれか一項に記載の組成物を蒸発させ、その後、前記組成物を凝縮させる工程を含むことを特徴とする冷却をもたらすための方法。
【請求項７】
冷却される物体の近傍で請求項１〜４のいずれか一項に記載の組成物を凝縮させ、その後、前記組成物を蒸発させる工程を含むことを特徴とする熱をもたらすための方法。
【請求項８】
前記組成物を熱源からヒートシンクへ移す工程を含むことを特徴とする、伝熱のための請求項１〜４のいずれか一項に記載の組成物の使用方法。
【請求項９】
（ｉ）紫外線蛍光染料を、可溶化剤の存在下に請求項１に記載の伝熱流体組成物の冷媒組成物に溶解させ、該組合せを前記圧縮冷凍もしくはエアコン機器へ導入することによって、または
（ｉｉ）可溶化剤と紫外線蛍光染料とを組み合わせ、前記組合せを冷媒もしくは伝熱流体を含有する冷凍もしくはエアコン機器へ導入することによって、
組成物を圧縮冷凍またはエアコン機器へ導入する工程を含み、
前記紫外線蛍光染料が、ナフタルイミド、ペリレン、クマリン、アントラセン、フェナンスラセン（ｐｈｅｎａｎｔｈｒａｃｅｎｅｓ）、キサンテン、チオキサンテン、ナフトキサンテン、フルオレセイン、前記染料の誘導体、およびそれらの組合せよりなる群から選択された少なくとも１つの紫外線蛍光染料であることを特徴とする請求項１に記載の組成物の使用方法。
【請求項１０】
圧縮冷凍またはエアコン機器において、前記機器内での漏出を検出するための冷媒または伝熱流体組成物の使用方法であって、
前記組成物を前記機器に提供する工程と、前記機器の漏出点（ｌｅａｋ  ｐｏｉｎｔ）でまたはその近傍で前記組成物を検出するための好適な手段を用いる工程とを含み、
前記冷媒または伝熱流体組成物が、ナフタルイミド、ペリレン、クマリン、アントラセン、フェナンスラセン（ｐｈｅｎａｎｔｈｒａｃｅｎｅｓ）、キサンテン、チオキサンテン、ナフトキサンテン、フルオレセイン、前記染料の誘導体、およびそれらの組合せよりなる群から選択された少なくとも１つの紫外線蛍光染料をさらに含む請求項１に記載の組成物であることを特徴とする方法。
【請求項１１】
（ｉ）冷却される物体の近傍で冷媒または伝熱流体組成物を蒸発させ、その後、前記冷媒または伝熱流体組成物を凝縮させることによって冷却をもたらす工程、または
（ｉｉ）加熱される物体の近傍で前記冷媒または伝熱流体組成物を凝縮させ、その後、前記冷媒または伝熱流体組成物を蒸発させることによって熱をもたらす工程
を含み、
前記冷媒または伝熱流体組成物が、ナフタルイミド、ペリレン、クマリン、アントラセン、フェナンスラセン（ｐｈｅｎａｎｔｈｒａｃｅｎｅｓ）、キサンテン、チオキサンテン、ナフトキサンテン、フルオレセイン、前記染料の誘導体、およびそれらの組合せよりなる群から選択された少なくとも１つの紫外線蛍光染料をさらに含む請求項１に記載の組成物であることを特徴とする冷媒または伝熱流体組成物の使用方法。
【手続補正２】
【補正対象書類名】明細書
【補正対象項目名】００９１
【補正方法】変更
【補正の内容】
【００９１】
熱源は、それから熱を移す、移動させるまたは除去することが望まれる任意の空間、場所、物または物体と定義されてもよい。熱源の例は、冷蔵庫またはスーパーマーケットのフリーザーケースのような、冷凍または冷却を必要とする空間（開かれたまたは閉ざされた）、エアコンを必要とする建物空間、またはエアコンを必要とする自動車の客室であってもよい。ヒートシンクは、熱を吸収することができる任意の空間、場所、物または物体と定義されてもよい。蒸気圧縮冷凍システムは、かかるヒートシンクの一例である。
以下に本明細書に記載の発明につき列記する。
（１）  １，１，１，３，３−ペンタフルオロブタンおよび１，１，３−トリフルオロプロパン、
１，１，１，３，３−ペンタフルオロブタンおよび１，３−ジフルオロプロパン、
１，１，１，３，３−ペンタフルオロブタンおよび１，１−ジフルオロブタン、
１，１，１，３，３−ペンタフルオロブタンおよび１，３−ジフルオロ−２−メチルプロパン、
１，１，１，３，３−ペンタフルオロブタンおよび１，２−ジフルオロ−２−メチルプロパン、
１，１，１，３，３−ペンタフルオロブタンおよび１，２−ジフルオロブタン、
１，１，１，３，３−ペンタフルオロブタンおよび１，３−ジフルオロブタン、
１，１，１，３，３−ペンタフルオロブタンおよび２，３−ジフルオロブタン、
１，１，１，３，３−ペンタフルオロブタンおよび１，１，１−トリフルオロペンタン、
１，１，１，３，３−ペンタフルオロブタンおよび１，１，１−トリフルオロ−３−メチルブタン、
１，１，１，３，３−ペンタフルオロブタンおよび１，２−ジフルオロペンタン、
１，１，１，３，３−ペンタフルオロブタンおよび３，３，４，４，５，５，６，６，６−ノナフルオロ−１−ヘキセン、
１，１，１，３，３−ペンタフルオロブタンおよびＮ−（ジフルオロメチル）−Ｎ，Ｎ−ジメチルアミン、ならびに
１，１，１，３，３−ペンタフルオロブタンおよび１，１，１，２，２−ペンタフルオロ−２−［（ペンタフルオロエチル）チオ］エタン
よりなる群から選択されることを特徴とする冷媒または伝熱流体組成物。
（２）（ｉ）遠心圧縮機、（ｉｉ）多段遠心圧縮機、または（ｉｉｉ）シングル・スラブ式／シングル・パス式（ｓｉｎｇｌｅ  ｓｌａｂ／ｓｉｎｇｌｅ  ｐａｓｓ）熱交換器を用いる、冷凍またはエアコン機器での使用に好適な冷媒または伝熱流体組成物であって、
１，１，１，３，３−ペンタフルオロブタンおよび１，１，３−トリフルオロプロパン、
１，１，１，３，３−ペンタフルオロブタンおよび１，３−ジフルオロプロパン、
１，１，１，３，３−ペンタフルオロブタンおよび１，１−ジフルオロブタン、
１，１，１，３，３−ペンタフルオロブタンおよび１，３−ジフルオロ−２−メチルプロパン、
１，１，１，３，３−ペンタフルオロブタンおよび１，２−ジフルオロ−２−メチルプロパン、
１，１，１，３，３−ペンタフルオロブタンおよび１，２−ジフルオロブタン、
１，１，１，３，３−ペンタフルオロブタンおよび１，３−ジフルオロブタン、
１，１，１，３，３−ペンタフルオロブタンおよび２，３−ジフルオロブタン、
１，１，１，３，３−ペンタフルオロブタンおよび１，１，１−トリフルオロペンタン、
１，１，１，３，３−ペンタフルオロブタンおよび１，１，１−トリフルオロ−３−メチルブタン、
１，１，１，３，３−ペンタフルオロブタンおよび１，２−ジフルオロペンタン、
１，１，１，３，３−ペンタフルオロブタンおよび３，３，４，４，５，５，６，６，６−ノナフルオロ−１−ヘキセン、
１，１，１，３，３−ペンタフルオロブタンおよびＮ−（ジフルオロメチル）−Ｎ，Ｎ−ジメチルアミン、ならびに
１，１，１，３，３−ペンタフルオロブタンおよび１，１，１，２，２−ペンタフルオロ−２−［（ペンタフルオロエチル）チオ］エタン
よりなる群から選択されることを特徴とする組成物。
（３）  約１〜約９９重量パーセントの１，１，１，３，３−ペンタフルオロブタンおよび約９９〜約１重量パーセントの１，１，３−トリフルオロプロパン、
約１〜約９９重量パーセントの１，１，１，３，３−ペンタフルオロブタンおよび約９９〜約１重量パーセントの１，３−ジフルオロプロパン、
約１〜約９９重量パーセントの１，１，１，３，３−ペンタフルオロブタンおよび約９９〜約１重量パーセントの１，１−ジフルオロブタン、
約６４〜約９９重量パーセントの１，１，１，３，３−ペンタフルオロブタンおよび約３６〜約１重量パーセントの１，３−ジフルオロ−２−メチルプロパン、
約１〜約９９重量パーセントの１，１，１，３，３−ペンタフルオロブタンおよび約９９〜約１重量パーセントの１，２−ジフルオロ−２−メチルプロパン、
約３７〜約９９重量パーセントの１，１，１，３，３−ペンタフルオロブタンおよび約６３〜約１重量パーセントの１，２−ジフルオロブタン、
約６０〜約９９重量パーセントの１，１，１，３，３−ペンタフルオロブタンおよび約４０〜約１重量パーセントの１，３−ジフルオロブタン、
約１〜約９９重量パーセントの１，１，１，３，３−ペンタフルオロブタンおよび約９９〜約１重量パーセントの２，３−ジフルオロブタン、
約１〜約９９重量パーセントの１，１，１，３，３−ペンタフルオロブタンおよび約９９〜約１重量パーセントの１，１，１−トリフルオロペンタン、
約１〜約９９重量パーセントの１，１，１，３，３−ペンタフルオロブタンおよび約９９〜約１重量パーセントの１，１，１−トリフルオロ−３−メチルブタン、
約１〜約９９重量パーセントの１，１，１，３，３−ペンタフルオロブタンおよび約９９〜約１重量パーセントの３，３，４，４，５，５，６，６，６−ノナフルオロ−１−ヘキセン、
約７２〜約９９重量パーセントの１，１，１，３，３−ペンタフルオロブタンおよび約２８〜約１重量パーセントの１，２−ジフルオロペンタン、ならびに
約１〜約９９重量パーセントの１，１，１，３，３−ペンタフルオロブタンおよび約９９〜約１重量パーセントの１，１，１，２，２−ペンタフルオロ−２−［（ペンタフルオロエチル）チオ］エタン
よりなる群から選択されることを特徴とする共沸または擬共沸組成物。
（４）  約３８．５℃の温度で約１４．７ｐｓｉａ（１０１ｋＰａ）の蒸気圧を有する、９０．３重量パーセントの１，１，１，３，３−ペンタフルオロブタンおよび９．７重量パーセントの１，１，３−トリフルオロプロパン、
約３２．０℃の温度で約１４．７ｐｓｉａ（１０１ｋＰａ）の蒸気圧を有する、７３．０重量パーセントの１，１，１，３，３−ペンタフルオロブタンおよび２７．０重量パーセントの１，３−ジフルオロプロパン、
約３８．２℃の温度で約１４．７ｐｓｉａ（１０１ｋＰａ）の蒸気圧を有する、５７．７重量パーセントの１，１，１，３，３−ペンタフルオロブタンおよび４２．３重量パーセントの１，１−ジフルオロブタン、
約３８．３℃の温度で約１４．７ｐｓｉａ（１０１ｋＰａ）の蒸気圧を有する、８９．８重量パーセントの１，１，１，３，３−ペンタフルオロブタンおよび１０．２重量パーセントの１，３−ジフルオロ−２−メチルプロパン、
約３３．４℃の温度で約１４．７ｐｓｉａ（１０１ｋＰａ）の蒸気圧を有する、４７．８重量パーセントの１，１，１，３，３−ペンタフルオロブタンおよび５２．２重量パーセントの１，２−ジフルオロ−２−メチルプロパン、
約３６．５℃の温度で約１４．７ｐｓｉａ（１０１ｋＰａ）の蒸気圧を有する、８１．１重量パーセントの１，１，１，３，３−ペンタフルオロブタンおよび１８．９重量パーセントの１，２−ジフルオロブタン、
約３８．６℃の温度で約１４．７ｐｓｉａ（１０１ｋＰａ）の蒸気圧を有する、８９．６重量パーセントの１，１，１，３，３−ペンタフルオロブタンおよび１０．４重量パーセントの１，３−ジフルオロブタン、
約３６．３℃の温度で約１４．７ｐｓｉａ（１０１ｋＰａ）の蒸気圧を有する、７８．２重量パーセントの１，１，１，３，３−ペンタフルオロブタンおよび２１．８重量パーセントの２，３−ジフルオロブタン、
約３８．３℃の温度で約１４．７ｐｓｉａ（１０１ｋＰａ）の蒸気圧を有する、４３．４重量パーセントの１，１，１，３，３−ペンタフルオロブタンおよび５６．６重量パーセントの１，１，１−トリフルオロペンタン、
約３７．６℃の温度で約１４．７ｐｓｉａ（１０１ｋＰａ）の蒸気圧を有する、３１．８重量パーセントの１，１，１，３，３−ペンタフルオロブタンおよび６８．２重量パーセントの１，１，１−トリフルオロ−３−メチルブタン、
約３９．９℃の温度で約１４．７ｐｓｉａ（１０１ｋＰａ）の蒸気圧を有する、９８．０重量パーセントの１，１，１，３，３−ペンタフルオロブタンおよび２．０重量パーセントの１，２−ジフルオロペンタン、ならびに
約３５．１℃の温度で約１４．７ｐｓｉａ（１０１ｋＰａ）の蒸気圧を有する、２９．５重量パーセントの１，１，１，３，３−ペンタフルオロブタンおよび７０．５重量パーセントの１，１，１，２，２−ペンタフルオロ−２−［（ペンタフルオロエチル）チオ］エタン
よりなる群から選択されることを特徴とする共沸組成物。
（５）  多段遠心圧縮機を用いる冷凍またはエアコン機器において、熱または冷却をもたらすことを含むことを特徴とする前記（２）または（３）に記載の組成物の使用方法。
（６）  冷却される物体の近傍で前記（１）〜（４）のいずれか一に記載の組成物を蒸発させ、その後、前記組成物を凝縮させる工程を含むことを特徴とする冷却をもたらすための方法。
（７）  冷却される物体の近傍で前記（１）〜（４）のいずれか一に記載の組成物を凝縮させ、その後、前記組成物を蒸発させる工程を含むことを特徴とする熱をもたらすための方法。
（８）  前記組成物を熱源からヒートシンクへ移す工程を含むことを特徴とする、伝熱のための前記（１）〜（４）のいずれか一に記載の組成物の使用方法。
（９）  ナフタルイミド、ペリレン、クマリン、アントラセン、フェナンスラセン（ｐｈｅｎａｎｔｈｒａｃｅｎｅｓ）、キサンテン、チオキサンテン、ナフトキサンテン、フルオレセイン、前記染料の誘導体、およびそれらの組合せよりなる群から選択された少なくとも１つの紫外線蛍光染料をさらに含むことを特徴とする前記（１）に記載の組成物。
（１０）  ナフタルイミド、ペリレン、クマリン、アントラセン、フェナンスラセン（ｐｈｅｎａｎｔｈｒａｃｅｎｅｓ）、キサンテン、チオキサンテン、ナフトキサンテン、フルオレセイン、前記染料の誘導体およびそれらの組合せよりなる群から選択された少なくとも１つの紫外線蛍光染料をさらに含むことを特徴とする前記（２）〜（４）のいずれか一に記載の組成物。
（１１）  炭化水素、ジメチルエーテル、ポリオキシアルキレングリコールエーテル、アミド、ケトン、ニトリル、クロロカーボン、エステル、ラクトン、アリールエーテル、フルオロエーテル、および１，１，１−トリフルオロアルカンよりなる群から選択された少なくとも１つの可溶化剤をさらに含み、冷媒および可溶化剤が同じ化合物ではないことを特徴とする前記（９）に記載の組成物。
（１２）  前記可溶化剤が、
ａ）式Ｒ１［（ＯＲ２）ｘＯＲ３］ｙ（式中、ｘが１〜３の整数であり、ｙが１〜４の整数であり、Ｒ１が水素および１〜６個の炭素原子とｙ個の結合部位とを有する脂肪族炭化水素基から選択され、Ｒ２が２〜４個の炭素原子を有する脂肪族ヒドロカルビレン基から選択され、Ｒ３が水素、ならびに１〜６個の炭素原子を有する脂肪族および脂環式炭化水素基から選択され、Ｒ１およびＲ３の少なくとも１つが前記炭化水素基から選択される）で表され、約１００〜約３００原子質量単位の分子量を有するポリオキシアルキレングリコールエーテル、
ｂ）式Ｒ１ＣＯＮＲ２Ｒ３およびｃｙｃｌｏ−［Ｒ４ＣＯＮ（Ｒ５）−］（式中、Ｒ１、Ｒ２、Ｒ３およびＲ５が独立して１〜１２個の炭素原子を有する脂肪族および脂環式炭化水素基、ならびに６〜１２個の炭素原子を有する多くても１つの芳香族基から選択され、Ｒ４が３〜１２個の炭素原子を有する脂肪族ヒドロカルビレン基から選択される）で表され、約１００〜約３００原子質量単位の分子量を有するアミド、
ｃ）式Ｒ１ＣＯＲ２（式中、Ｒ１およびＲ２が独立して１〜１２個の炭素原子を有する脂肪族、脂環式およびアリール炭化水素基から選択される）で表され、約７０〜約３００原子質量単位の分子量を有するケトン、
ｄ）式Ｒ１ＣＮ（式中、Ｒ１が５〜１２個の炭素原子を有する脂肪族、脂環式またはアリール炭化水素基から選択される）で表され、約９０〜約２００原子質量単位の分子量を有するニトリル、
ｅ）式ＲＣｌｘ（式中、ｘが整数１または２から選択され、Ｒが１〜１２個の炭素原子を有する脂肪族および脂環式炭化水素基から選択される）で表され、約１００〜約２００原子質量単位の分子量を有するクロロカーボン、
ｆ）式Ｒ１ＯＲ２（式中、Ｒ１が６〜１２個の炭素原子を有するアリール炭化水素基から選択され、Ｒ２が１〜４個の炭素原子を有する脂肪族炭化水素基から選択される）で表され、約１００〜約１５０原子質量単位の分子量を有するアリールエーテル、
ｇ）式ＣＦ３Ｒ１（式中、Ｒ１が約５〜約１５個の炭素原子を有する脂肪族および脂環式炭化水素基から選択される）で表される１，１，１−トリフルオロアルカン、
ｉ）式Ｒ１ＯＣＦ２ＣＦ２Ｈ（式中、Ｒ１が約５〜約１５個の炭素原子を有する脂肪族および脂環式炭化水素基から選択される）で表されるフルオロエーテル、および
ｊ）構造［Ｂ］、［Ｃ］、および［Ｄ］
【化１】
2007517971.tif 000001
（ここでＲ１〜Ｒ８が独立して水素、線状、分岐、環式、二環式、飽和および不飽和のヒドロカルビル基から選択される）で表され、分子量が約１００〜約３００原子質量単位であるラクトン、ならびに
ｋ）一般式Ｒ１ＣＯ２Ｒ２（式中、Ｒ１およびＲ２が独立して線状および環式の、飽和および不飽和の、アルキルおよびアリール基から選択される）で表され、約８０〜約５５０原子質量単位の分子量を有するエステル、
よりなる群から選択されることを特徴とする前記（９）に記載の組成物。
（１３）  （ｉ）紫外線蛍光染料を、可溶化剤の存在下に伝熱流体組成物の冷媒組成物に溶解させ、該組合せを前記圧縮冷凍もしくはエアコン機器へ導入することによって、または
（ｉｉ）可溶化剤と紫外線蛍光染料とを組み合わせ、前記組合せを冷媒もしくは伝熱流体を含有する冷凍もしくはエアコン機器へ導入することによって、
組成物を圧縮冷凍またはエアコン機器へ導入する工程を含むことを特徴とする前記（９）または（１１）に記載の組成物の使用方法。
（１４）  圧縮冷凍またはエアコン機器において、前記機器内での漏出を検出するための前記（９）または（１１）に記載の組成物の使用方法であって、
前記組成物を前記機器に提供する工程と、前記機器の漏出点（ｌｅａｋ  ｐｏｉｎｔ）でまたはその近傍で前記組成物を検出するための好適な手段を用いる工程とを含むことを特徴とする方法。
（１５）  （ｉ）冷却される物体の近傍で前記組成物を蒸発させ、その後、前記組成物を凝縮させることによって冷却をもたらす工程、または
（ｉｉ）加熱される物体の近傍で前記組成物を凝縮させ、その後、前記組成物を蒸発させることによって熱をもたらす工程
を含むことを特徴とする前記（９）または（１１）に記載の組成物の使用方法。
（１６）  臭気マスキング剤または熱安定剤をさらに含むことを特徴とする前記（１）または（１１）に記載の組成物。
（１７）  前記熱安定剤がニトロメタンであることを特徴とする前記（１５）に記載の組成物。
（１８）  前記多段遠心圧縮機が２段遠心圧縮機であることを特徴とする前記（５）に記載の方法。